(57)【特許請求の範囲】
【請求項１】
第１及び第２の局線の制御状況をそれぞれ表示する第１及び第２の発光素子を１つの押下機構上に備えた複数の局線ボタンと、
タイマーと、
ユーザから受けた所定の局線ボタンの個々の押下回数により該局線ボタンに対応付けられている前記第１及び前記第２の局線を選択制御する制御部と、
を有し、
前記制御部は、１つの押下機構と成っている局線ボタン毎に、前記局線ボタンの１回目の押下から、前記タイマーに設定された所定時間以内に次の押下がなされない場合に前記押下回数を１と決定処理し、前記局線ボタンの１回目の押下から、前記タイマーに設定された前記所定時間以内に次の押下がなされた場合に前記押下回数を２と決定処理し、
次に、前記制御部は、前記押下回数を１と決定したときには該局線ボタンに対応付けられている前記第１の局線を選択制御し、前記押下回数を２と決定したときには該局線ボタンに対応付けられている前記第２の局線を選択制御することを特徴とする物理的に設けられた局線ボタン数よりも多い局線内から所定の局線を選択制御可能としたボタン電話機。
【請求項２】
ボタン電話機と、第１及び第２の局線と前記ボタン電話機との間に接続された主装置とを有するボタン電話システムにおいて、
前記ボタン電話機は、
前記第１及び前記第２の局線の制御状況をそれぞれ表示する第１及び第２の発光素子を１つの押下機構上に備えた複数の局線ボタンと、
タイマーと、
ユーザから受けた所定の局線ボタンの個々の押下回数により該局線ボタンに対応付けられている前記第１及び前記第２の局線を選択制御する制御部と、
を有し、
前記主装置と前記ボタン電話機との間で局線交換を行なう際に、
前記制御部は、１つの押下機構と成っている局線ボタン毎に、前記局線ボタンの１回目の押下から、前記タイマーに設定された所定時間以内に次の押下がなされない場合に前記押下回数を１と決定処理し、前記局線ボタンの１回目の押下から、前記タイマーに設定された前記所定時間以内に次の押下がなされた場合に前記押下回数を２と決定処理し、
次に、前記制御部は、前記押下回数を１と決定したときには該局線ボタンに対応付けられている前記第１の局線を選択したことを前記主装置に対応するコマンドを用いて通知するように制御し、前記押下回数を２と決定したときには該局線ボタンに対応付けられている前記第２の局線を選択したことを前記主装置に対応するコマンドを用いて通知するように制御する
ことを特徴とするボタン電話システム。
【請求項３】
局線の制御状況を表示する発光素子を備えた複数の局線ボタンを有するボタン電話機の局線制御方法であって、
前記ボタン電話機は、タイマーと、前記複数の局線ボタンとして第１及び第２の局線の制御状況をそれぞれ表示する第１及び第２の発光素子を１つの押下機構上に各々備え、
ユーザから受けた所定の前記局線ボタンへの個々の押下回数により該局線ボタンに対応付けられている前記第１及び前記第２の局線を選択制御する制御ステップを有し、
前記制御ステップでは、
ユーザから受けた前記所定の局線ボタンへの１回目の押下から、前記タイマーに設定された所定時間以内に次の押下がなされない場合に前記押下回数を１と決定処理し、前記所定の局線ボタンへの１回目の押下から、前記タイマーに設定された前記所定時間以内に次の押下がなされた場合に前記押下回数を２と決定処理し、
次に、前記押下回数を１と決定したときには該局線ボタンに対応付けられている前記第１の局線を選択制御し、又は前記押下回数を２と決定したときには該局線ボタンに対応付けられている前記第２の局線を選択制御する
ことを特徴とするボタン電話機の局線制御方法。
【請求項４】
コンピュータに所定の処理を実行させ、該コンピュータを、第１及び第２の局線の制御状況をそれぞれ表示する第１及び第２の発光素子を１つの押下機構上に備えた複数の局線ボタンと、タイマーとを有して、物理的に設けられた局線ボタン数よりも多い局線内から所定の局線を選択制御可能とするボタン電話機として機能させるための局線制御プログラムであって、
前記所定の処理は、
ユーザから受けた所定の局線ボタンの個々の押下回数により該局線ボタンに対応付けられている前記第１及び前記第２の局線を選択制御する制御ステップを有し、
前記制御ステップは、
前記局線ボタンの１回目の押下から、前記タイマーに設定された所定時間以内に次の押下がなされない場合に前記押下回数を１と決定処理し、前記局線ボタンの１回目の押下から、前記タイマーに設定された前記所定時間以内に次の押下がなされた場合に前記押下回数を２と決定処理し、
更に、前記押下回数を１と決定したときには該局線ボタンに対応付けられている前記第１の局線を選択制御し、前記押下回数を２と決定したときには該局線ボタンに対応付けられている前記第２の局線を選択制御する
ことを１つの押下機構と成っている局線ボタン毎に、前記コンピュータに行わせる処理である
ことを特徴とするボタン電話機の局線制御プログラム。
【発明の詳細な説明】
【技術分野】
【０００１】
本発明はボタン電話機に関する。本発明は、また、ボタン電話機と主装置とを有するボタン電話システムに関する。本発明は、更に、ボタン電話機の局線制御方法及びボタン電話機の局線制御プログラムに関する。
【背景技術】
【０００２】
現在、ボタン電話システムに接続される局線数が増える傾向にあり、端末としてのボタン電話機に具備される局線ボタン数も増え、端末（ボタン電話機）上の局線ボタンが煩雑になっている。
【０００３】
特許文献１は、図３及び［００１５］段落に、外線が通話中であるか保留中であるかを外線表示器の点灯状態と点滅状態により表示することを開示している。
【０００４】
【特許文献１】実開平５−４３６４３号公報
【発明の開示】
【発明が解決しようとする課題】
【０００５】
本発明の課題は、上記欠点を除去し、局線数の増加に、減少させた数の局線ボタンで対処できるようにすることにある。
【課題を解決するための手段】
【０００６】 本発明にかかるボタン電話機は、第１及び第２の局線の制御状況をそれぞれ表示する第１及び第２の発光素子を１つの押下機構上に備えた複数の局線ボタンと、タイマーと、ユーザから受けた所定の局線ボタンの個々の押下回数により該局線ボタンに対応付けられている前記第１及び前記第２の局線を選択制御する制御部と、を有し、前記制御部は、１つの押下機構と成っている局線ボタン毎に、前記局線ボタンの１回目の押下から、前記タイマーに設定された所定時間以内に次の押下がなされない場合に前記押下回数を１と決定処理し、前記局線ボタンの１回目の押下から、前記タイマーに設定された前記所定時間以内に次の押下がなされた場合に前記押下回数を２と決定処理し、次に、前記制御部は、前記押下回数を１と決定したときには該局線ボタンに対応付けられている前記第１の局線を選択制御し、前記押下回数を２と決定したときには該局線ボタンに対応付けられている前記第２の局線を選択制御することを特徴とする。【０００７】  本発明にかかるボタン電話システムは、ボタン電話機と、第１及び第２の局線と前記ボタン電話機との間に接続された主装置とを有するボタン電話システムにおいて、前記ボタン電話機は、前記第１及び前記第２の局線の制御状況をそれぞれ表示する第１及び第２の発光素子を１つの押下機構上に備えた複数の局線ボタンと、タイマーと、ユーザから受けた所定の局線ボタンの個々の押下回数により該局線ボタンに対応付けられている前記第１及び前記第２の局線を選択制御する制御部と、を有し、前記主装置と前記ボタン電話機との間で局線交換を行なう際に、前記制御部は、１つの押下機構と成っている局線ボタン毎に、前記局線ボタンの１回目の押下から、前記タイマーに設定された所定時間以内に次の押下がなされない場合に前記押下回数を１と決定処理し、前記局線ボタンの１回目の押下から、前記タイマーに設定された前記所定時間以内に次の押下がなされた場合に前記押下回数を２と決定処理し、次に、前記制御部は、前記押下回数を１と決定したときには該局線ボタンに対応付けられている前記第１の局線を選択したことを前記主装置に対応するコマンドを用いて通知するように制御し、前記押下回数を２と決定したときには該局線ボタンに対応付けられている前記第２の局線を選択したことを前記主装置に対応するコマンドを用いて通知するように制御することを特徴とする。【０００８】 本発明にかかるボタン電話機の局線制御方法は、局線の制御状況を表示する発光素子を備えた複数の局線ボタンを有するボタン電話機の局線制御方法であって、前記ボタン電話機は、タイマーと、前記複数の局線ボタンとして第１及び第２の局線の制御状況をそれぞれ表示する第１及び第２の発光素子を１つの押下機構上に各々備え、ユーザから受けた所定の前記局線ボタンへの個々の押下回数により該局線ボタンに対応付けられている前記第１及び前記第２の局線を選択制御する制御ステップを有し、前記制御ステップでは、ユーザから受けた前記所定の局線ボタンへの１回目の押下から、前記タイマーに設定された所定時間以内に次の押下がなされない場合に前記押下回数を１と決定処理し、前記所定の局線ボタンへの１回目の押下から、前記タイマーに設��された前記所定時間以内に次の押下がなされた場合に前記押下回数を２と決定処理し、次に、前記押下回数を１と決定したときには該局線ボタンに対応付けられている前記第１の局線を選択制御し、又は前記押下回数を２と決定したときには該局線ボタンに対応付けられている前記第２の局線を選択制御することを特徴とする。【０００９】 本発明にかかるボタン電話機の局線制御プログラムは、コンピュータに所定の処理を実行させ、該コンピュータを、第１及び第２の局線の制御状況をそれぞれ表示する第１及び第２の発光素子を１つの押下機構上に備えた複数の局線ボタンと、タイマーとを有して、物理的に設けられた局線ボタン数よりも多い局線内から所定の局線を選択制御可能とするボタン電話機として機能させるための局線制御プログラムであって、前記所定の処理は、ユーザから受けた所定の局線ボタンの個々の押下回数により該局線ボタンに対応付けられている前記第１及び前記第２の局線を選択制御する制御ステップを有し、前記制御ステップは、前記局線ボタンの１回目の押下から、前記タイマーに設定された所定時間以内に次の押下がなされない場合に前記押下回数を１と決定処理し、前記局線ボタンの１回目の押下から、前記タイマーに設定された前記所定時間以内に次の押下がなされた場合に前記押下回数を２と決定処理し、更に、前記押下回数を１と決定したときには該局線ボタンに対応付けられている前記第１の局線を選択制御し、前記押下回数を２と決定したときには該局線ボタンに対応付けられている前記第２の局線を選択制御することを１つの押下機構と成っている局線ボタン毎に、前記コンピュータに行わせる処理であることを特徴とする。
【発明の効果】
【００１０】
本発明によれば、局線数に対して半分の数の局線ボタン数で局線を制御することが可能である。
【発明を実施するための最良の形態】
【００１１】
次に本発明の実施形態について図面を参照して説明する。
【００１２】
以下に述べる本発明の実施形態は、局線ボタンを有するボタン電話機を備えたボタン電話システムにおいて、１つの局線ボタンに２つの局線を割り当ることを特徴とする。このため、ボタン電話機において、１つの局線ボタンに２つの発光素子（例えば、ＬＥＤ：Light Emitting Diode）に対応させ、ボタンの押下回数により２つの局線を選択制御する。これらＬＥＤの点灯により局線使用状態を表示する。
【００１３】
図１を参照すると、本発明の一実施形態によるボタン電話機において用いられる局線ボタンＫ１が示されている。この局線ボタンＫ１は、第１及び第２の局線（局線Ｌ１及び局線Ｌ２）の制御状況を表示する第１及び第２の発光素子として第１及び第２のＬＥＤ（LED#1及びLED#2）を備えている。第１のＬＥＤ（LED#1）は、第１の局線Ｌ１の制御状況を表示するものであり、第２のＬＥＤ（LED#2）は、第２の局線Ｌ２の制御状況を表示するものである。
【００１４】
図２を参照すると、本発明の一実施形態によるボタン電話機ＴＳ１が示されている。このボタン電話機ＴＳ１は、図１で説明した第１及び第２の局線（局線Ｌ１及び局線Ｌ２）の制御状況を表示する第１及び第２のＬＥＤ（LED#1及びLED#2）を備えた局線ボタンＫ１を有する。このボタン電話機ＴＳ１は、また、第３及び第４の局線の制御状況を表示する第３及び第４のＬＥＤ（LED#3及びLED#4）を備えた局線ボタンＫ２及び第５及び第６の局線の制御状況を表示する第５及び第６のＬＥＤ（LED#5及びLED#6）を備えた局線ボタンＫ３を有する。
【００１５】
図３を参照すると、本発明の一実施形態によるボタン電話機ＴＳ１を有するボタン電話システムが示されている。図示のボタン電話システムは、特に、互いに同様の構造を有する複数のボタン電話機ＴＳ１乃至ＴＳｎ（ｎは1以上の整数）を備えている例を示しているが、ボタン電話システムは、少なくともボタン電話機ＴＳ１を有していればよい。
【００１６】
ボタン電話システムは、更に、第１及び第２の局線Ｌ１及びＬ２とボタン電話機ＴＳ１乃至ＴＳｎとの間に接続された主装置ＭＵを有する。
【００１７】
主装置ＭＵでは、スイッチ部１０３が局側インターフェース部１０１を介して第１及び第２の局線Ｌ１及びＬ２へ接続され、ボタン電話機インターフェース部１０２を介して内線側のボタン電話機ＴＳ１乃至ＴＳｎへ接続されている。スイッチ部１０３は、ボタン電話機ＴＳ１乃至ＴＳｎと局線Ｌ１及びＬ２を接続するものであり、ボタン電話機ＴＳ１乃至ＴＳｎと局線Ｌ１及びＬ２の通話について制御部１０４の制御下で呼制御を行っている。主装置ＭＵにおいて、スイッチ部１０３は局側インターフェース部１０１を介して前述の第３乃至第６の局線（図示せず）にも接続されている。
【００１８】
制御部１０４には局線側の局線Ｌ１及びＬ２毎の状態と、ボタン電話機ＴＳ１乃至ＴＳｎ毎の状態を記憶する状態記憶部１０５と通話接を制御する呼処理部１０６を持つ。この制御部１０４にてボタン電話機ＴＳ１乃至ＴＳｎと主装置ＭＵとのコマンドによる制御を行う。
【００１９】
図２に戻って、本発明の一実施形態によるボタン電話機ＴＳ１の内部構成を更に説明する。なお、上述のようにボタン電話機ＴＳｎ（図３）もボタン電話機ＴＳ１と同様の内部構成を有する。
【００２０】
ボタン電話機ＴＳ１は、主装置ＭＵ側からの制御信号を受け取るインターフェース部２０１、LED#1、LED#2、LED#3、LED#4、LED#5、及びLED#6を駆動表示するＬＥＤ駆動表示部２０２、電話番号などを表示するＬＣＤ（Liquid Crystal Display）からなる表示部２０３と、電話機からの入力部であるとなるキーボード部２０４を有する。キーボード部２０４は、上述の局線ボタンＫ１〜Ｋ３もキーとして含んでいる。ボタン電話機ＴＳ１は、更に、キー判断部／タイマ２０５を有する。キー判断部／タイマ２０５は、キー（局線ボタン）操作を判断するキー判断部とキー（局線ボタン）押下時間決定及びＬＥＤの点滅の時間のためのタイマを有する。ボタン電話機ＴＳ１は、更に、通話のための通話回路２０６、送受話器（ハンドセット）２０７、着信音を出力する呼出信号音発生部２０８、局線制御プログラム及びその他のプログラムの記憶部であるＲＯＭ（Read Only Memory）２０９、ＲＡＭ（Random Access Memory）２１０、及び全体を制御する制御部（ＣＰＵ：Central Processing Unit）２００からなる。主装置ＭＵにボタン電話機ＴＳ１が接続され、主装置ＭＵ側から制御信号が送られ、接続後は通話信号の送受が行われる。
【００２１】
局線制御プログラムは、後に述べるように、コンピュータをボタン電話機ＴＳ１として機能させるためのプログラムである。この局線制御プログラムを、ＲＯＭ２０９の代りに、記録媒体ＲＭに記録させておいても良い。この場合、局線制御プログラムは、記録媒体ＲＭからコンピュータに読み込まれ、ボタン電話機ＴＳ１の動作を後に述べるように制御する。
【００２２】
次に、図１及び図２を参照して、本発明の一実施形態によるボタン電話機ＴＳ１の動作を説明する。以下、第１及び第２の局線（局線Ｌ１及び局線Ｌ２）の制御状況を表示する第１及び第２のＬＥＤ（LED#1及びLED#2）を備えた局線ボタンＫ１についての動作を説明する。第３及び第４の局線の制御状況を表示する第３及び第４のＬＥＤ（LED#3及びLED#4）を備えた局線ボタンＫ２の動作及び第５及び第６の局線の制御状況を表示する第５及び第６のＬＥＤ（LED#5及びLED#6）を備えた局線ボタンＫ３の動作は、第１及び第２のＬＥＤ（LED#1及びLED#2）を備えた局線ボタンＫ１についての動作と同様である。
【００２３】
このボタン電話機ＴＳ１において、第１及び第２のＬＥＤ LED#1及びLED#2は、制御部２００の制御下で、図４の通りに消灯、点灯、点滅（速い）、点滅（遅い）する。
【００２４】
即ち、制御部２００は、主装置ＭＵを介して第１の局線Ｌ１（或いは第２の局線Ｌ２）の状態を知ることができ、第１の局線Ｌ１（或いは第２の局線Ｌ２）が本ボタン電話機ＴＳ１或いは他ボタン電話機にて使用中でも呼び出し中でも保留中でもないときは動作なしと判断して第１のＬＥＤ LED#1（或いは第２のＬＥＤ LED#2）を消灯状態とする。
【００２５】
また、制御部２００は、第１の局線Ｌ１（或いは第２の局線Ｌ２）が本ボタン電話機ＴＳ１或いは他ボタン電話機にて使用中であれば、局線使用中と判断して第１のＬＥＤ LED#1（或いは第２のＬＥＤ LED#2）を点灯状態とする。
【００２６】
更に、制御部２００は、第１の局線Ｌ１（或いは第２の局線Ｌ２）が本ボタン電話機ＴＳ１或いは他ボタン電話機にて呼び出し中であれば、局線呼び出し中と判断して第１のＬＥＤ LED#1（或いは第２のＬＥＤ LED#2）を点滅（速い）点滅状態とする。
【００２７】
更にまた、制御部２００は、第１の局線Ｌ１（或いは第２の局線Ｌ２）が本ボタン電話機ＴＳ１或いは他ボタン電話機にて保留中であれば、局線保留中と判断して第１のＬＥＤ LED#1（或いは第２のＬＥＤ LED#2）を点滅（速い）点滅状態とする。
【００２８】
図１及び図２において、制御部２００は、第１の局線Ｌ１が図４に示された各状態のとき及び第２の局線Ｌ２が図４に示された各状態のときに、局線ボタンＫ１を押下した場合の動作を図５に示す。
【００２９】
図１、図２、図３、及び図５を参照して、制御部２００は、第１の局線Ｌ１及び第２の局線Ｌ２の状態において両方応答や捕捉が出来る場合は、局線ボタン（キースイッチ）Ｋ１の押下回数により押下の入力を決定する。即ち、局線ボタン（キースイッチ）Ｋ１の１回目の押下と２回目の押下にて状態が変わる。制御部２００は、１回目の押下にてキー判断部／タイマ２０５（図２）のタイマーを起動させ、タイマーに設定された所定時間内（例えば０．５秒以内）に２回目の押下がなされないと１回目の押下として入力を決定する。制御部２００は、タイマーに設定された所定時間内（例えば０．５秒以内）に２回目の押下がなされれば、２回目の押下として入力を決定する。制御部２００は、局線ボタン（キースイッチ）Ｋ１がダブルクリックされたか否かで押下回数が２か１かを決定する。
【００３０】
＜第１の局線Ｌ１と第２の局線Ｌ２との状態＞
制御部２００は、図５から明らかなように、基本的な動作として１回目の押下との決定により第１の局線Ｌ１を制御し、２回目の押下との決定により第２の局線Ｌ２を制御する。制御部２００は、
１）局線Ｌ１が動作なしで、局線Ｌ２に着信がある場合、１回では着信応答となるが、着信を取らずに局線Ｌ１を捕捉したい場合は、２回押下することで捕捉できる。
【００３１】
２）局線Ｌ１にて通話中に局線２に着信があった場合は、通話相手へ保留する旨のを通話相手へ告げて、局線ボタン（キースイッチ）Ｋ１押下にてこの着信へ応答となる。
【００３２】
３）同時に着信がある場合や、同時に保留の場合は基本的な局線ボタン（キースイッチ）Ｋ１の動作である１回目の押下との決定により局線Ｌ１の制御、２回目の押下との決定により局線Ｌ２の制御となる。
【００３３】
＜局線ボタン（キースイッチ）Ｋ１押下の判断＞
２回押下の判断は、キー判断部／タイマ２０５（図２）のキー判断部とタイマにて判断し、制御部２００は、主装置ＭＵ（図３）へ図５の制御に対応する制御コマンドを送信することで行う。従って、制御部２００は、２回目の押下を判断した場合は、図５の制御に対応するコマンドを主装置ＭＵ（図３）へ送ることで、主装置ＭＵ（図３）側にて表１にて指定された動作を行う。
【００３４】
例えば、局線Ｌ１と局線Ｌ２に着信があって局線Ｌ２の着信を受けたい場合は、局線ボタン（キースイッチ）Ｋ１操作による２回目の押下を判断し、局線Ｌ２を捕捉するコマンドを主装置ＭＵ（図３）側へ送ることで、主装置ＭＵ（図３）側にて局線Ｌ２の着信に対して応答し、当該ボタン電話機ＴＳ１と接続することで、局線Ｌ２への着信応答が出来る。
【００３５】
＜着信＞
上記局線側の捕捉や保留状態およびボタン電話機ＴＳ１との接続は、主装置ＭＵ（図３）側にて呼処置制御し、ボタン電話機ＴＳ１側へ制御コマンドを送ることで制御している。局線Ｌ１への着信を主装置ＭＵにて判断すると、ボタン電話機ＴＳ１側へ局線Ｌ１への着信であることのコマンドを送ると、着信コマンドを受けたボタン電話機ＴＳ１側は、このコマンドにて局線Ｌ１の第１のＬＥＤ LED#1をタイマからの早い間隔にて点滅させると共に、呼出信号音発生部２０８から着信鳴動音を出力し、着信したことを音と、第１のＬＥＤ LED#1の速い点滅にて表示する。
【００３６】
＜回線捕捉＞
局線Ｌ１の捕捉は、局線ボタン（キースイッチ）Ｋ１を１回だけ押下すると、押下した内容をキー判断部にて所定時間以内に局線ボタン（キースイッチ）Ｋ１の次の押下がなされなかったと判断し、局線Ｌ１の捕捉と制御部２００にて判断して主装置ＭＵ側へ捕捉コマンドを送る。主装置ＭＵは、送られた捕捉コマンドにて局線Ｌ１と捕捉コマンドを判断し、主装置ＭＵ側にて局線Ｌ１を捕捉し、局線Ｌ１をボタン電話機ＴＳ１へ接続する。接続されたボタン電話機ＴＳ１にて局線Ｌ１が捕捉される。以降は通常の発信動作となるので、説明は省略する。
【００３７】
以上説明したように、図２において、ボタン電話機ＴＳ１の制御部２００は、ＲＯＭ２０９に記憶されている局線制御プログラム或いは記録媒体ＲＭに記録させている局線制御プログラムに従って所定の処理を実行する。即ち、制御部２００は、所定の処理として、図１及び図２において局線ボタンＫ１の所定時間以内の押下回数により第１及び第２の局線Ｌ１及びＬ２を選択制御する。特に、制御部２００は、局線ボタンＫ１の１回目の押下から所定時間以内に次の押下がなされない場合に押下回数を１と決定する。制御部２００は、局線ボタンＫ１の１回目の押下から所定時間以内に次の押下がなされた場合には押下回数を２と決定する。制御部２００は、押下回数を１と決定したときには第１の局線Ｌ１を制御し、押下回数を２と決定したときには第２の局線Ｌ２を制御する。
【００３８】
以上、実施形態を参照して本願発明を説明したが、本願発明は上記実施形態に限定されるものではない。本願発明の構成や詳細には、本願発明のスコープ内で当業者が理解し得る様々な変更をすることができる。表１を下記に示し、状態を説明する。
【図面の簡単な説明】
【００３９】
【図１】本発明の一実施形態によるボタン電話機において用いられる局線ボタンを示した図である。
【図２】本発明の一実施形態によるボタン電話機のブロック図である。
【図３】本発明の一実施形態によるボタン電話機を有するボタン電話システムのブロック図である。
【図４】図１の局線ボタンにおける第１及び第２のＬＥＤの動作状態を説明するための図である。
【図５】図１の局線ボタンを押下した場合の状態別の動作を説明するための図である。
【符号の説明】
【００４０】
Ｋ１    局線ボタン
Ｌ１    第１の局線
Ｌ２    第２の局線
LED#1    第１のＬＥＤ
LED#2    第２のＬＥＤ
ＴＳ１    ボタン電話機
２００    制御部
２０５    キー判断部／タイマ
２０９    ＲＯＭ(局線制御プログラム)
ＲＭ    記録媒体(局線制御プログラム)
ＭＵ    主装置
ＴＳｎ    ボタン電話機
【図１】
0005450972.tif 000002
【図２】
0005450972.tif 000003
【図３】
0005450972.tif 000004
【図４】
0005450972.tif 000005
【図５】
0005450972.tif 000006